(57)【要約】【課題】リードスクリューへの負荷を軽減したピックアップ駆動機構及びディスク装置を提供する。【解決手段】リードスクリュー１１１と、このリードスクリュー１１１と平行に配置されたガイドシャフト１１２と、このガイドシャフト１１２に軸方向に移動自在に支持され、リードスクリュー１１１と噛み合うギア部１３０を備えたキャリッジ１１４と、このキャリッジ１１４に搭載した、記録媒体のピックアップとを備えたピックアップ駆動機構１１０において、リードスクリュー１１１の軸方向に沿ってフレーム１１７を配置し、このフレーム１１７に当接し、ギア部１３０のリードスクリュー１１１側への移動を規制するストッパ１４０を、キャリッジ１１４に設ける構成とする。【選択図】図１０
2010267306.tif 000002
【特許請求の範囲】
【請求項１】
リードスクリューと、このリードスクリューと平行に配置されたガイドシャフトと、このガイドシャフトに軸方向に移動自在に支持され、前記リードスクリューと噛み合うギア部を備えたキャリッジと、このキャリッジに搭載した、記録媒体のピックアップとを備えたピックアップ駆動機構において、
前記リードスクリューの軸方向に沿ってフレームを配置し、このフレームに当接し、前記ギア部のリードスクリュー側への移動を規制するストッパを、前記キャリッジに設けたことを特徴とするピックアップ駆動機構。
【請求項２】
前記ストッパは、前記キャリッジに一体に形成されていることを特徴とする請求項１に記載のピックアップ駆動機構。
【請求項３】
前記ギア部の前記リードスクリュー側への移動が所定量未満の状態では、前記ストッパと前記フレームとの間に隙間が形成されていることを特徴とする請求項１又は２に記載のピックアップ駆動機構。
【請求項４】
前記ギア部は、前記キャリッジに固定された固定歯と、前記リードスクリューに向けて付勢される可動歯とを備え、前記ストッパは、前記固定歯が前記リードスクリュー側に所定量以上移動した際に前記フレームに当接することを特徴とする請求項１乃至３のいずれか一項に記載のピックアップ駆動機構。
【請求項５】
ディスクを回転させるドライブユニットと、この回転したディスクから信号を読み出すピックアップと、このピックアップを搭載したキャリッジを前記ディスクの半径方向にスライド移動させるピックアップ駆動機構とを備え、
このピックアップ駆動機構は、前記ディスクの半径方向に沿って配置されたリードスクリューと、このリードスクリューと平行に配置されたガイドシャフトと、このガイドシャフトに軸方向に移動自在に支持され、前記リードスクリューと噛み合うギア部を備えた前記キャリッジとを備え、
前記リードスクリューの軸方向に沿ってフレームを配置し、このフレームに当接し、前記ギア部のリードスクリュー側への移動を規制するストッパを、前記キャリッジに設けたことを特徴とするディスク装置。
【請求項６】
前記ストッパは、前記キャリッジに一体に形成されていることを特徴とする請求項５に記載のディスク装置。
【請求項７】
前記ギア部の前記リードスクリュー側への移動が所定量未満の状態では、前記ストッパと前記フレームとの間に隙間が形成されていることを特徴とする請求項５又は６に記載のディスク装置。
【請求項８】
前記ギア部は、前記キャリッジに固定された固定歯と、前記リードスクリューに向けて付勢される可動歯とを備え、前記ストッパは、前記固定歯が前記リードスクリュー側に所定量以上移動した際に前記フレームに当接することを特徴とする請求項５乃至７のいずれか一項に記載のディスク装置。
【発明の詳細な説明】
【技術分野】
【０００１】
本発明は、ガイドシャフトに軸方向に移動自在に支持されたキャリッジを駆動するピックアップ駆動機構及びディスク装置に関する。
【背景技術】
【０００２】
一般に、ＣＤ（コンパクトディスク）、ＤＶＤ（デジタル・バーサタイル・ディスク）等の記録媒体ディスクの情報を再生するディスク装置は、ターンテーブル上にディスクをチャッキングし、この状態でターンテーブルを回転してディスクを回転させるドライブユニットと、回転されたディスクから情報を読み取るピックアップをディスクの半径方向にスライド移動させるピックアップ駆動機構とを備えて構成されている（例えば、特許文献１参照）。
この種のピックアップ駆動機構では、リードスクリューと、リードスクリューと平行に配置された主軸（ガイドシャフト）及び副軸（ガイドシャフト）と、これら主軸及び副軸に軸方向に移動自在に支持され、リードスクリューと噛み合うギア部、及びこのギア部をリードスクリューに向けて付勢する弾性体を有するキャリッジとを備え、リードスクリューとキャリッジのギア部との噛み合い状態を良好に確保するものが提案されている（特許文献２参照）。
【先行技術文献】
【特許文献】
【０００３】
【特許文献１】ＷＯ／２００１／０９１１１９号公報
【特許文献２】特開２００３−３６６１５号公報
【発明の概要】
【発明が解決しようとする課題】
【０００４】
しかしながら、上記従来の構成では、ギア部とリードスクリューとの噛み合いが外れにくくなっているため、副軸から主軸へ向かう方向の衝撃がディスク装置に加わり、ピックアップ等の荷重が主軸のみにかかった場合には、主軸の瞬間的な撓み等により、ギア部がリードスクリューを押し上げ、リードスクリューが軸受から外れるおそれがある。
そこで、本発明の目的は、上述した従来の技術が有する課題を解消し、リードスクリューへの負荷を軽減したピックアップ駆動機構及びディスク装置を提供することにある。
【課題を解決するための手段】
【０００５】
上記課題を解決するため、本発明は、リードスクリューと、このリードスクリューと平行に配置されたガイドシャフトと、このガイドシャフトに軸方向に移動自在に支持され、前記リードスクリューと噛み合うギア部を備えたキャリッジと、このキャリッジに搭載した、記録媒体のピックアップとを備えたピックアップ駆動機構において、前記リードスクリューの軸方向に沿ってフレームを配置し、このフレームに当接し、前記ギア部のリードスクリュー側への移動を規制するストッパを、前記キャリッジに設けたことを特徴とする。
上記構成によれば、キャリッジにギア部のリードスクリュー側への移動を規制するストッパが設けられているため、ギア部がリードスクリュー側に過度に進出しないので、リードスクリューへの負荷を軽減できる。
【０００６】
上記構成において、前記ストッパは、前記キャリッジに一体に形成されていてもよい。
上記構成によれば、ストッパは、キャリッジと一体に移動するので、キャリッジがどの位置にいてもフレームと当接してストッパとして機能できる。
【０００７】
上記構成において、前記ギア部の前記リードスクリュー側への移動が所定量未満の状態では、前記ストッパと前記フレームとの間に隙間が形成されていてもよい。
上記構成によれば、ギア部のリードスクリュー側への移動が所定量未満の状態では、ストッパとフレームとの間に隙間が形成されているため、キャリッジが軸方向に支障なく移動できる。
【０００８】
上記構成において、前記ギア部は、前記キャリッジに固定された固定歯と、前記リードスクリューに向けて付勢される可動歯とを備え、前記ストッパは、前記固定歯が前記リードスクリュー側に所定量以上移動した際に前記フレームに当接してもよい。
上記構成によれば、ストッパは、固定歯がリードスクリュー側に所定量以上移動した際にフレームに当接するため、固定歯がリードスクリュー側に過度に進出しないので、リードスクリューへの負荷を軽減できる。また、ギア部は、キャリッジに固定された固定歯と、リードスクリューに向けて付勢される可動歯とを備えるため、固定歯とリードスクリューとの噛み合いが外れないので、ギア部を可動歯だけで構成する場合に比べ、可動歯をリードスクリューに向けて強く付勢する必要がなく、キャリッジが軸方向に移動する際の抵抗を低減できる。
【０００９】
本発明は、ディスクを回転させるドライブユニットと、この回転したディスクから信号を読み出すピックアップと、このピックアップを搭載したキャリッジを前記ディスクの半径方向にスライド移動させるピックアップ駆動機構とを備え、このピックアップ駆動機構は、前記ディスクの半径方向に沿って配置されたリードスクリューと、このリードスクリューと平行に配置されたガイドシャフトと、このガイドシャフトに軸方向に移動自在に支持され、前記リードスクリューと噛み合うギア部を備えた前記キャリッジとを備え、前記リードスクリューの軸方向に沿ってフレームを配置し、このフレームに当接し、前記ギア部のリードスクリュー側への移動を規制するストッパを、前記キャリッジに設けたことを特徴とする。
上記構成によれば、キャリッジにギア部のリードスクリュー側への移動を規制するストッパが設けられているため、ギア部がリードスクリュー側に過度に進出しないので、リードスクリューへの負荷を軽減できる。
【００１０】
上記構成において、前記ストッパは、前記キャリッジに一体に形成されていてもよい。
上記構成によれば、ストッパは、キャリッジと一体に移動するので、キャリッジがどの位置にいてもフレームと当接してストッパとして機能できる。
【００１１】
上記構成において、前記ギア部の前記リードスクリュー側への移動が所定量未満の状態では、前記ストッパと前記フレームとの間に隙間が形成されていてもよい。
上記構成によれば、ギア部のリードスクリュー側への移動が所定量未満の状態では、ストッパとフレームとの間に隙間が形成されているため、キャリッジが軸方向に支障なく移動できる。
【００１２】
上記構成において、前記ギア部は、前記キャリッジに固定された固定歯と、前記リードスクリューに向けて付勢される可動歯とを備え、前記ストッパは、前記固定歯が前記リードスクリュー側に所定量以上移動した際に前記フレームに当接してもよい。
上記構成によれば、ストッパは、固定歯がリードスクリュー側に所定量以上移動した際にフレームに当接するため、固定歯がリードスクリュー側に過度に進出しないので、リードスクリューへの負荷を軽減できる。また、ギア部は、キャリッジに固定された固定歯と、リードスクリューに向けて付勢される可動歯とを備えるため、固定歯の噛み合いが外れないので、ギア部を可動歯だけで構成する場合に比べ、可動歯をリードスクリューに向けて強く付勢する必要がなく、キャリッジが軸方向に移動する際の抵抗を低減できる。
【発明の効果】
【００１３】
本発明によれば、キャリッジにギア部のリードスクリュー側への移動を規制するストッパが設けられているため、ギア部がリードスクリュー側に過度に進出しないので、リードスクリューへの負荷を軽減できる。
【図面の簡単な説明】
【００１４】
【図１】本発明に係るディスクプレーヤの外観を示す斜視図である。
【図２】アッパーシャーシを取り外した斜視図である。
【図３】ロアーシャーシの斜視図である。
【図４】ロアーシャーシにドライブユニットを取り付けた左方視の斜視図である。
【図５】ロアーシャーシにドライブユニットを取り付けた右方視の斜視図である。
【図６】ベースプレートを上方から示す斜視図である。
【図７】ベースプレートを下方から示す斜視図である。
【図８】ラック部材を上方から示す斜視図である。
【図９】ラック部材を下方から示す斜視図である。
【図１０】図７のラック部材を拡大して示す図である。
【図１１】通常時におけるラック部材とリードスクリューとの関係を示す断面図である。
【図１２】衝撃時におけるラック部材とリードスクリューとの関係を示す断面図である。
【図１３】クランププレートを下面から見た斜視図である。
【図１４】クランププレートを上面から見た斜視図である。
【図１５】１２ｃｍ径のディスクを挿入した際のターンプレート及びセレクタプレートの動作を示す斜視図である。
【図１６】１２ｃｍ径のディスクを挿入した際のガイドアームの動作を示す図である。
【図１７】８ｃｍ径のディスクを挿入した際のターンプレート及びセレクタプレートの動作を示す斜視図である。
【図１８】８ｃｍ径のディスクを挿入した際のガイドアームの動作を示す図である。
【発明を実施するための形態】
【００１５】
以下、図面を参照して本発明の好適な実施の形態について説明する。
図１は、本発明の実施の形態に係るディスクプレーヤ（ディスク装置）の外観を示す斜視図である。このディスクプレーヤには、ＣＤ、ＤＶＤ等の例えば直径８ｃｍや、直径１２ｃｍ等の大きさの異なる記録媒体ディスクが引き込まれて、このディスクに記録された情報が再生される。符号１は本体を示し、この本体１は板金製のシャーシ３を備えている。このシャーシ３はロアーシャーシ５と、このロアーシャーシ５の上方を覆うアッパーシャーシ７とを備え、その内側には、図１では図示を省略したが、ディスクをローディングするためのローディングメカニズム、ローディングされたディスクをクランプするためのクランプメカニズム、クランプされたディスクをドライブするためのドライブメカニズム等が設けられている。
【００１６】
図２は、アッパーシャーシ７を取り外した斜視図であり、図３は、ロアーシャーシ５の斜視図であり、図４は、ロアーシャーシ５にドライブユニット９を取り付けた左方視の斜視図であり、図５は、同じくロアーシャーシ５にドライブユニット９を取り付けた右方視の斜視図である。
【００１７】
上記ロアーシャーシ５は、図３に示すように、枠状に形成され、このロアーシャーシ５には、ダンパ及びばねを備えた３つの防振構造体１１が取り付けられ、この防振構造体１１の上に、図２に示すように、クランプメカやドライブメカが一体化されたクランプ機構としてのドライブユニット９が載置されて、フローティング支持されている。
このドライブユニット９は、図４及び図５に示すように、ベースプレート１３と、このベースプレート１３の後端部の両側にヒンジ１５で連結され、先端１７Ａを閉じる方向にばね付勢されて、ベースプレート１３と協働してディスクを挟持するクランププレート１７とを備えている。このクランププレート１７の先端１７Ａには回転板１９が支持され、この回転板１９に対向するマグネット入りのターンテーブル２１が、ベースプレート１３に支持されている。そして、後述するように、ディスクが挿入されて、クランププレート１７が閉じると、先端１７Ａの回転板１９とマグネット入りのターンテーブル２１とで挟持（クランプ）されてディスクが回転可能になる。
【００１８】
図１に示すように、本体１の前面には横長のディスクの挿入口２３が形成され、この挿入口２３の奥には、図２に示すように、ロアーシャーシ５の前部のモータ２４で駆動されるローディングローラ２５が設けられている。
このローディングローラ２５は、挿入口２３へのディスクの挿入が検知されると、モータ２４により駆動されて、当該ディスクを本体１内に引き込む。このローディングローラ２５は、ローラプレート２７に支持され、このローラプレート２７の基部は、ヒンジピン２８によりロアーシャーシ５に連結されている。よって、このローディングローラ２５は、ヒンジピン２８を中心としたローラプレート２７の揺動により、その高さ位置を変位させて、ディスクと離接可能に構成されている。また、ローラプレート２７は、図示を省略したばねにより、このローラプレート２７の前端を下げて、ローディングローラ２５を持ち上げる方向に付勢されている。
【００１９】
ドライブユニット９の上面の左後部には支持ピン３０を介してトリガープレート３１が揺動自在に支持されている。このトリガープレート３１は、本体１内に引き込まれたディスクと当接し、このディスクをドライブユニット９にクランプさせるものである。このトリガープレート３１は、ばね３１Ｓにより、時計方向に付勢されており、その一端３１Ａ側には、ドライブユニット９の内方に折り曲げられた２つの爪部３２，３３が各々一体に形成されている。一方の爪部３２は、引き込まれた８ｃｍディスクが当接可能であり、他方の爪部３３には、引き込まれた１２ｃｍディスクが当接可能である。
トリガープレート３１の他端３１Ｂは、ドライブユニット９の外側に延出し、ドライブユニット９の外壁に沿って下方に折り曲げられている。この他端３１Ｂは、ロアーシャーシ５に配置されたトリガー３５の後面３５Ｋに当接する。そして、ディスクが本体１に引き込まれ、爪部３２，３３のいずれかに当接し、トリガープレート３１が反時計方向に回動すると、このトリガープレート３１が、トリガー３５を前進（矢印Ｘの方向）させる。このトリガー３５は、図４に示すように、ばね３４により、通常時、他端３１Ｂ側（矢印Ｙの方向）に付勢されている。
【００２０】
このトリガー３５の一部は、ロアーシャーシ５の底部を前方に延出し、この延出部の上面にはトリガーラックギア３５Ａが一体に形成されている。このトリガーラックギア３５Ａの前方には、ロアーシャーシ５の側板５Ａ（図２参照）に支持されたファイナルギア３７が配置されている。このファイナルギア３７は、通常時にトリガーラックギア３５Ａに噛み合わない位置に支持されており、トリガープレート３１が反時計方向に回動して、トリガー３５が前進したときにのみ、トリガーラックギア３５Ａに噛み合う。ファイナルギア３７は、図２に示すように、複数のギアからなるギア輪列３８を介して、ロアーシャーシ５の前部の上記モータ２４に連結されており、モータ２４の駆動時に、トリガーラックギア３５Ａとファイナルギア３７とが一旦噛み合うと、それ以後は、ファイナルギア３７、モータ２４の駆動力でトリガー３５が前進する。
【００２１】
このトリガー３５には、図４に示すように、トリガーカム４１が一体に連結されている。このトリガーカム４１は、ギア輪列３８（図２参照）の内側を当該ギア輪列３８と平行に延出し、その中程の上面には前方が徐々に、階段状に高くなるカム面４１Ａが形成され、その先端部にはローディングローラ２５の駆動軸２５Ａ（図２参照）を案内する前上がりの階段状の傾斜溝４１Ｂが形成されている。カム面４１Ａには、ドライブユニット９のクランププレート１７の一部１７Ｂが当接している。
トリガー３５がファイナルギア３７に噛み合い、ストロークエンドに移動した後、トリガーカム４１を押し出し、トリガーカム４１のラックがファイナルギア３７と噛み合い、トリガーカム４１が前進（矢印Ｘの方向）する。
【００２２】
上記トリガーカム４１が前進（矢印Ｘの方向）すると、上記一部１７Ｂが当接しているカム面４１Ａが徐々に低くなって、クランププレート１７が、ばね力で閉じる方向に揺動し、さらに前進してトリガーカム４１が前進限界の位置に移動すると、一部１７Ｂがカム面４１Ａから完全に離れ、クランププレート１７の先端の回転板１９と、ターンテーブル２１とによるディスクのクランプが完了する。それと同時に、クランププレート１７の一部１７Ｂとカム面４１Ａとの係合解除によって、ドライブユニット９が、３つの防振構造体１１を介して完全にフローティング支持される。また、同時に、ローディングローラ２５の駆動軸２５Ａが、傾斜溝４１Ｂに沿って低い位置に移動し、ローラプレート２７の揺動により、ローディングローラ２５が低く変位し、このローディングローラ２５が、クランプ時のディスクの下面から離れる。この状態において、ターンテーブル２１を回転させてディスクの再生が行われる。
【００２３】
上記モータ２４を逆回転させると、ギア輪列３８、ファイナルギア３７及びトリガーラックギア３５Ａを介して、トリガー３５及びトリガーカム４１が後退（矢印Ｙの方向）する。それに伴って、上記一部１７Ｂが当接しているカム面４１Ａが徐々に高くなり、クランププレート１７が、ばね力に抗して押し上げられて開く方向に揺動する。さらに後退してトリガーカム４１が後退限界の位置に移動すると、一部１７Ｂがカム面４１Ａの最も高い位置に乗り上げて、クランププレート１７の先端の回転板１９と、ターンテーブル２１との間にディスク挿入用の隙間を形成する。
【００２４】
それと同時に、ローディングローラ２５の駆動軸２５Ａが、傾斜溝４１Ｂに沿って徐々に高い位置に移動し、後退限界の位置では、ローラプレート２７の揺動により、ローディングローラ２５が、ディスクの下面に接触するまで高く変位する。そして、このディスクはローディングローラ２５によりイジェクトされる。
ディスクをイジェクトした後に、ローディング待機の状態となる。イジェクトもしくはローディング待機の状態では、ドライブユニット９が、図示を省略した機構によりシャーシ３にロックされる。
【００２５】
図６は、ベースプレート１３を上方から示す斜視図であり、図７は、ベースプレート１３を下方から示す斜視図である。
ベースプレート１３には、図６に示すように、開口部Ｍが形成され、この開口部Ｍには、ピックアップ１０８をディスクの半径方向（図中Ｐ方向）に移動させるピックアップ駆動機構１１０が配置されている。このピックアップ駆動機構１１０は、ディスクの半径方向に沿って設けられたリードスクリュー１１１と、このリードスクリュー１１１に略平行に配置された主軸（ガイドシャフト）１１２及び副軸（ガイドシャフト）１１３と、これら軸１１２，１１３間に掛け渡されるとともに、上記リードスクリュー１１１の回転により、当該軸１１２，１１３の軸方向に沿ってスライド移動自在なピックアップ光学部品支持部材１１４とを備える。
【００２６】
リードスクリュー１１１の一端には、図６及び図７に示すように、このリードスクリュー１１１を回転駆動する、例えばステッピングモータ等のモータ１１６が直結されている。リードスクリュー１１１の他端は、モータ１１６に結合したフレーム１１７の先端に形成された軸受部１１８によって回転自在に支持されている。フレーム１１７は、ベースプレート１３に取り付けられており、リードスクリュー１１１の下方をリードスクリュー１１１の軸方向に沿って延びている。このように、フレーム１１７をリードスクリュー１１１の軸方向に沿って設けることにより、ベースプレート１３の剛性が高められ、リードスクリュー１１１及びモータ１１６をより堅固に支持できる。また、軸１１２，１１３は、それぞれベースプレート１３の下面側に形成された軸受部１１２Ａ，１１３Ａによって支持されている。
【００２７】
ピックアップ光学部品支持部材１１４は、上記ピックアップ１０８が搭載される基部１１４Ａを備え、この基部１１４Ａの一端側には、主軸１１２が挿通される挿通孔１２０を有する第１軸受部１１４Ｂが設けられ、当該基部１１４Ａの他端側には、副軸１１３に係合される断面略コ字上に形成された第２軸受部１１４Ｃが設けられている。
ピックアップ光学部品支持部材１１４の第１軸受部１１４Ｂには、ラック部材１１５が配置され、このラック部材１１５は、ねじ１２２によって第１軸受部１１４Ｂに固定されている。
【００２８】
図８は、ラック部材１１５を上方から示す斜視図であり、図９は、ラック部材１１５を下方から示す斜視図である。
ラック部材１１５は、図６及び図８に示すように、樹脂製のラック部材本体１１５Ａと、このラック部材本体１１５Ａの前面側（リードスクリュー１１１側）からリードスクリュー１１１に突出する突出部１１５Ｂとを備えている。突出部１１５Ｂの前面側には、リードスクリュー１１１に向けて移動可能な可動部１１５Ｃが配置されている。この可動部１１５Ｃは、図９に示すように、その下端部１１５Ｄが突出部１１５Ｂに連結されており、リードスクリュー１１１に向けて傾倒自在に構成されている。すなわち、ラック部材１１５は、ラック部材本体１１５Ａと、突出部１１５Ｂと、可動部１１５Ｃとを備えて樹脂により一体成形されている。
【００２９】
図８に示すように、ラック部材本体１１５Ａと可動部１１５Ｃとの間には、空間Ｑが形成され、この空間Ｑに可動部１１５Ｃをリードスクリュー１１１（図６参照）に向けて付勢するコイルばね１１９が収容される。このコイルばね１１９の一端１１９Ａは、空間Ｑを形成するラック部材本体１１５Ａの前面１１５Ｅに当接し、他端１１９Ｂは、可動部１１５Ｃの裏面１１５Ｆに当接するように構成される。
突出部１１５Ｂには、この突出部１１５Ｂの一端側から延出した規制部１１５Ｇが形成されるとともに、可動部１１５Ｃには、この規制部１１５Ｇが当接する延出部１１５Ｈが形成されている。可動部１１５Ｃが下端部１１５Ｄ（図９参照）を介して傾斜した場合に、延出部１１５Ｈが規制部１１５Ｇに当接することにより、可動部１１５Ｃの傾斜角度が規制される。
【００３０】
可動部１１５Ｃには、リードスクリュー１１１に噛み合う第１の突起１３１が形成されている。また、突出部１１５Ｂの前面には、第１の突起１３１を挟む２つの第２の突起１３２，１３２が形成されている。本構成では、可動部１１５Ｃに形成された第１の突起１３１が可動歯として機能し、突出部１１５Ｂに形成された第２の突起１３２，１３２が固定歯として機能する。また、第１の突起１３１及び第２の突起１３２，１３２がギア部１３０を構成している。
【００３１】
図６に示すように、リードスクリュー１１１がモータ１１６により回転駆動すると、ラック部材１１５に設けられたギア部１３０がリードスクリュー１１１と噛合しているため、ピックアップ光学部品支持部材１１４は軸１１２，１１３の軸方向に沿って移動する。これにより、ピックアップ１０８はディスクの半径方向（図中Ｐ方向）に移動する。ギア部１３０は、可動歯１３１及び固定歯１３２で構成されているため、可動歯１３１とリードスクリュー１１１との噛み合いが外れても、固定歯１３２とリードスクリュー１１１との噛み合いは外れない。すなわち、ギア部を可動歯だけで構成する場合に比べ、可動歯１３１をリードスクリュー１１１に向けて強く付勢する必要がなくなるので、ラック部材１１５が軸方向に移動する際の抵抗を低減できる。
【００３２】
図１０は、図７のラック部材１１５を拡大して示す図である。図１１は、通常時におけるラック部材１１５とリードスクリュー１１１との関係を示す断面図であり、図１２は、衝撃時におけるラック部材１１５とリードスクリュー１１１との関係を示す断面図である。
図７及び図１１に示すように、フレーム１１７は、リードスクリュー１１１の側部を平行に延びる上板１１７Ａを備え、上板１１７Ａは、ねじ１４によってベースプレート１３に固定されている。このフレーム１１７は、上板１１７Ａから下方に延びる縦板１１７Ｂと、縦板１１７Ｂからリードスクリュー１１１の下方に延出する下板１１７Ｃとを備えている。すなわち、フレーム１１７は、上板１１７Ａからリードスクリュー１１１の一側部及び下部を囲うようにＬ字状に延出し、その端面１１７Ｄは、リードスクリュー１１１の側端部１１１Ａより内側（図１１では、左側）に位置している。
【００３３】
図１０及び図１１に示すように、ギア部１３０の下方（図中では、上方）には、ストッパ１４０が突出部１１５Ｂに一体に形成されている。ストッパ１４０は、突出部１１５Ｂの下端部から固定歯１３２より前面側に突出し、フレーム１１７の端面１１７Ｄに向けて延出している。ストッパ１４０の前面１４０Ａは、平面状に形成されるとともに、フレーム１１７の平面状の端面１１７Ｄと平行に形成されており、ストッパ１４０の前面１４０Ａは、フレーム１１７の端面１１７Ｄと対向する。このストッパ１４０は、突出部１１５Ｂの幅方向（リードスクリュー１１１の軸方向）に亘って設けられている。
【００３４】
ギア部１３０のリードスクリュー１１１側への移動が所定量未満の状態では、ストッパ１４０とフレーム１１７との間に隙間δが形成されている。この隙間δにより、ストッパ１４０とフレーム１１７との間に摩擦力が発生しないので、ピックアップ光学部品支持部材１１４の軸方向の移動は妨げられることはない。ここで、所定量は、例えば、固定歯１３２がリードスクリュー１１１の軸１１１Ｂに当接してリードスクリュー１１１を押し上げない程度の移動量とする。なお、ギア部１３０のリードスクリュー１１１側への移動が所定量未満の状態を通常時とする。
【００３５】
また、衝撃等によって、可動歯１３１（図６参照）とリードスクリュー１１１との噛み合いが外れたとしても、固定歯１３２のリードスクリュー１１１側への移動が所定量未満の状態では、ストッパ１４０とフレーム１１７との間には隙間δがある。したがって、ストッパ１４０はフレーム１１７に当接しないので、ピックアップ光学部品支持部材１１４は軸方向に支障なく移動できる。すなわち、ストッパ１４０は、固定歯１３２がリードスクリュー１１１を押し上げる直前の位置まで、ピックアップ光学部品支持部材１１４の軸方向の移動に支障を来たすことはない。
【００３６】
一方、図１２に示すように、衝撃等によってディスクプレーヤに副軸１１３（図７参照）から主軸１１２へ向かう方向（図中Ｆ方向）の力が加わると、主軸１１２の瞬間的な撓み等により、ラック部材１１５がリードスクリュー１１１側に移動する。このとき、固定歯１３２がリードスクリュー１１１側へ所定量以上移動すると、ストッパ１４０の前面１４０Ａがフレーム１１７の端面１１７Ｄに当接する。このように、ストッパ１４０は、固定歯１３２がリードスクリュー１１１の軸１１１Ｂと当接してリードスクリュー１１１を押し上げようとする前にフレーム１１７に当接するので、リードスクリュー１１１とギア部１３０との噛み込みを防止するとともに、リードスクリュー１１１が軸受部１１８から脱落することを防止できる。
【００３７】
ストッパ１４０がフレーム１１７に当接することで、主軸１１２だけに集中していた荷重がストッパ１４０を介してフレーム１１７に分散されるので、主軸１１２への負荷を軽減することが可能である。ストッパ１４０は、平面状の前面１４０Ａにおいてフレーム１１７の平面状の端面１１７Ｄと当接するので、ストッパ１４０とフレーム１１７とが相互に広い面積で接触してストッパ１４０及びフレーム１１７への負荷を低減できる。ストッパ１４０の前面１４０Ａとフレーム１１７の端面１１７Ｄとは、平行に対向して当接するので、ストッパ１４０とフレーム１１７とが当接することによるトルクの発生を抑制できる。また、ストッパ１４０は、突出部１１５Ｂの幅方向に亘って設けられているため、ストッパ１４０とフレーム１１７との接触面積をより広く確保し、ストッパ１４０及びフレーム１１７への負荷をより低減できる。
【００３８】
ストッパ１４０は、ピックアップ光学部品支持部材１１４のラック部材１１５に一体に形成されているので、ピックアップ光学部品支持部材１１４と一体に移動して、ピックアップ光学部品支持部材１１４が主軸１１２のどの位置にいてもフレーム１１７と当接でき、ストッパとして機能可能である。また、ストッパ１４０をラック部材１１５と一体とすることで、部品点数を削減し、製造工程の簡略化を図ることができる。
ストッパ１４０は、突出部１１５Ｂとフレーム１１７との間の空間を有効利用して設けられているので、ピックアップ駆動機構１１０の大型化を抑制できる。さらに、ストッパ１４０は、リードスクリュー１１１の軸方向に沿って延びるフレーム１１７の端面１１７Ｄに向けて延出し、フレーム１１７の端面１１７Ｄに当接させる構成となっているので、ストッパ１４０と当接する当接部を別に設ける必要がなくなり、ピックアップ駆動機構１１０の構造を簡略化できる。
【００３９】
次に、本体１内に引き込まれたディスクをドライブユニット９のクランプ位置に案内する機構について説明する。図１３は、クランププレート１７を下面から見た斜視図であり、図１４は、クランププレート１７を上面から見た斜視図である。
クランププレート１７には、図１３に示すように、本体１内に引き込まれたディスクの外周部に当接し、このディスクをクランプ位置に案内する一対のガイドアーム４３、４４が設けられている。これらガイドアーム４３、４４は、クランププレート１７の先端の回転板１９に対しほぼ中心振り分けで配置され、当該ガイドアーム４３、４４の前端には、ディスクに当接する当接部４３Ａ、４４Ａが形成される。ガイドアーム４３、４４の後端には軸受部４３Ｂ、４４Ｂが形成され、これら軸受部４３Ｂ、４４Ｂは、クランププレート１７から下方に延出するピン４５、４６に遊嵌される。また、これらガイドアーム４３、４４は、ばね４７、４８により、閉じる方向（矢印Ａの方向）に付勢されている。また、ガイドアーム４３、４４の上面には、図１４に示すように、クランププレート１７に形成されたガイド孔４９、５０（図１３）を通じて当該クランププレート１７の上面側に延在するガイドピン４３Ｃ、４４Ｃが設けられている。
【００４０】
本構成では、図１に示すように、挿入されるディスクの外周部に当接して挿入口２３の側方に退避するターンプレート５１と、このターンプレート５１の動作に連動するスライドプレート５２及びセレクタプレート５３とを備える。ターンプレート５１及びスライドプレート５２はアッパーシャーシ７上に配置され、セレクタプレート５３はクランププレート１７上に配置されている。このセレクタプレート５３は、ディスクの挿入に際してターンプレート５１の動作に連動し、ガイドアーム４３、４４のガイドピン４３Ｃ、４４Ｃ（図１４参照）と係合または離脱することにより、当該ガイドアーム４３、４４の動作を規制する規制部材として機能する。
【００４１】
ターンプレート５１は、アッパーシャーシ７の左前部の上面に、ピン５４を介して揺動自在に連結され、ばね５５により閉じる方向に付勢されている。このターンプレート５１には、挿入口２３に臨むゲートピン５６が取り付けられている。また、ターンプレート５１の基部には略Ｊ字型のガイド孔５１Ａが形成され、このガイド孔５１Ａに嵌るピン５７がスライドプレート５２に取り付けられている。このスライドプレート５２には、ディスクの挿入方向（矢印Ｙの方向）に延びた一対のスライド孔５２Ａ、５２Ｂが形成され、このスライド孔５２Ａ、５２Ｂにアッパーシャーシ７の一部を切り起こして、上方に立ち上げたガイド片５８、５９が嵌っている。また、スライドプレート５２の後端５２Ｃは前方に折り返されており、セレクタプレート５３の一端に形成された連結部５３Ａに係合されている。
【００４２】
セレクタプレート５３は、図１４に示すように、クランププレート１７の略中央上面に、ピン６０を介して揺動自在に連結され、ばね６１により時計方向に付勢されている。また、セレクタプレート５３には、ピン６１の左右に形成された一対のガイド孔５３Ｂ、５３Ｃと、上記連結部５３Ａ側の一端に形成され、当該セレクタプレート５３の動作範囲を規制するためのスライド孔５３Ｄとが形成されている。上記ガイド孔５３Ｂ、５３Ｃには、クランププレート１７の上方に延出するガイド片６２、６３が嵌り、上記スライド孔５３Ｄには、当該クランププレート１７の上方に延出する規制片６４が嵌っている。
また、セレクタプレート５３には、本体内にディスクが挿入されていない初期状態において、上記ガイドアーム４３、４４のガイドピン４３Ｃ、４４Ｃと係合する係合溝５３Ｅ、５３Ｆが形成されている。この係合溝５３Ｅ、５３Ｆとガイドピン４３Ｃ、４４Ｃとが係合することにより、ガイドアーム４３、４４の動作が規制される。また、係合溝５３Ｅ、５３Ｆは、セレクタプレート５３の付勢方向（時計方向）側が開放されており、このセレクタプレート５３が反時計方向に回動すると、ガイドピン４３Ｃ、４４Ｃが係合溝５３Ｅ、５３Ｆから離脱して、ガイドアーム４３、４４の動作が可能となる。
【００４３】
ディスクが挿入口２３に挿入された場合、ディスクは、ターンプレート５１のゲートピン５６を側方に押し退ける。例えば、１２ｃｍ径の大きいディスク１００が挿入されると、図１５に示すように、ディスク１００の外周部１００Ａがゲートピン５６を挿入口２３の側方に押し退け、ターンプレート５１が開く方向（矢印Ｄの方向）に回動する。この回動に伴い、ピン５７が、ガイド孔５１Ａの中を移動し、これにより、ターンプレート５１の揺動に連動し、スライドプレート５２が、ガイド片５８、５９に沿って本体１の前方（矢印Ｘ方向）に移動する。
スライドプレート５２の移動に伴い、このスライドプレート５２に係合されたセレクタプレート５３の連結部５３Ａが前方に引っ張られるため、このセレクタプレート５３は、ばね６１に抗して反時計方向（矢印Ｅ方向）に回動する。この回動により、ガイドアーム４３、４４（図１３参照）のガイドピン４３Ｃ、４４Ｃが係合溝５３Ｅ、５３Ｆから離脱するため、当該ガイドピン４３Ｃ、４４Ｃの動作が可能となる。
これによれば、図１６に示すように、ディスク１００の外周部１００Ａがガイドアーム４３、４４の当接部４３Ａ、４４Ａと当接することにより、このガイドアーム４３、４４が徐々に側方（矢印Ｂ方向に）に開き、当該ガイドアーム４３、４４によってディスク１００がクランプ位置に案内される。
【００４４】
図１７は、８ｃｍ径の小さいディスク２００を挿入する場合の斜視図である。この場合には、挿入口２３の幅に比してディスク径が小さいため、挿入口２３の一方の端に偏って挿入される恐れがある。例えば、ディスク２００がゲートピン５６の側に偏って挿入された場合、ディスク２００の外周部２００Ａがゲートピン５６を挿入口２３の側方に押し退け、ターンプレート５１が開く方向（矢印Ｄの方向）に回動する。このため、上記１２ｃｍ径ディスク１００と同様に、ターンプレート５１の動作に連動して、セレクタプレート５３が回動することにより、ガイドアーム４３、４４（図１３参照）のガイドピン４３Ｃ、４４Ｃが係合溝５３Ｅ、５３Ｆから離脱するため、当該ガイドピン４３Ｃ、４４Ｃの動作が可能となる。しかしながら、８ｃｍ径ディスク２００は、１２ｃｍ径ディスクに比べて径が小さいため、この８ｃｍ径ディスク２００がクランプ位置に達するまでに、ターンプレート５１は、ばね５５の付勢力によって初期位置に戻る。このターンプレート５１の動作に連動して、セレクタプレート５３も初期位置に戻るため、ガイドアーム４３、４４のガイドピン４３Ｃ、４４Ｃはセレクタプレート５３の係合溝５３Ｅ、５３Ｆと係合し、当該ガイドアーム４３、４４の動作が規制される。
これによれば、図１８に示すように、ガイドアーム４３、４４は初期位置の状態から動作しないため、ディスク２００の外周部２００Ａがガイドアーム４３、４４の当接部４３Ａ、４４Ａと当接することにより、このディスク２００がクランプ位置に案内される。
【００４５】
以上説明したように、本実施の形態によれば、ピックアップ光学部品支持部材１１４のラック部材１１５に、ギア部１３０のリードスクリュー１１１側への移動を規制するストッパ１４０が設けられているため、ギア部１３０がリードスクリュー１１１側に過度に進出しないので、リードスクリュー１１１への負荷を軽減できる。
【００４６】
また、本実施の形態によれば、ストッパ１４０は、ピックアップ光学部品支持部材１１４のラック部材１１５に一体に形成されているため、ストッパ１４０は、ピックアップ光学部品支持部材１１４と一体に移動するので、ピックアップ光学部品支持部材１１４がどの位置にいてもフレーム１１７と当接してストッパとして機能できる。
【００４７】
また、本実施の形態によれば、ギア部１３０のリードスクリュー１１１側への移動が所定量未満の状態では、ストッパ１４０とフレーム１１７との間に隙間δが形成されているため、ピックアップ光学部品支持部材１１４が軸方向に支障なく移動できる。
【００４８】
さらに、本実施の形態によれば、ストッパ１４０は、固定歯１３２がリードスクリュー１１１側に所定量以上移動した際にフレーム１１７に当接するため、固定歯１３２がリードスクリュー１１１側に過度に進出しないので、リードスクリュー１１１への負荷を軽減できる。また、ギア部１３０は、ラック部材１１５に固定された固定歯１３２と、リードスクリュー１１１に向けて付勢される可動歯１３１とを備えるため、可動歯１３１とリードスクリュー１１１との噛み合いが外れても、固定歯１３２とリードスクリュー１１１の噛み合いは外れないので、ギア部を可動歯だけで構成する場合に比べ、可動歯１３１をリードスクリュー１１１に向けて強く付勢する必要がなくなり、ピックアップ光学部品支持部材１１４が軸方向に移動する際の抵抗を低減できる。
【００４９】
但し、上記実施の形態は本発明の一態様であり、本発明の趣旨を逸脱しない範囲において適宜変更可能であるのは勿論である。
例えば、ストッパ１４０は、突出部１１５Ｂの幅方向に亘って設けられていたが、ストッパの幅を狭めて突出部１１５Ｂの一部だけにストッパを設けるようにしてもよい。この場合、ストッパの幅は、ストッパとフレームとが当接することによるトルクの発生を抑制できる程度の幅に設定されるのが望ましい。
【００５０】
また、上記実施の形態では、ラック部材１１５は、樹脂によって形成されていたが、金属製であってもよい。
さらに、上記実施の形態では、キャリッジの駆動機構をディスクプレーヤのピックアップを駆動する機構に適用していたが、これに限るものではなく、例えば、この駆動機構をプリンタのヘッドを駆動する機構に適用したり、カメラのズーミングレンズやフォーカスレンズ等の可動レンズを駆動する機構に適用したりすることも可能である。
【符号の説明】
【００５１】
９  ドライブユニット
１０８  ピックアップ
１１０  ピックアップ駆動機構
１１１  リードスクリュー
１１２  主軸（ガイドシャフト）
１１３  副軸（ガイドシャフト）
１１４  ピックアップ光学部品支持部材（キャリッジ）
１３０  ギア部
１１７  フレーム
１３１  可動歯
１３２  固定歯
１４０  ストッパ
δ  隙間
【図１】
2010267306.tif 000003
【図２】
2010267306.tif 000004
【図３】
2010267306.tif 000005
【図４】
2010267306.tif 000006
【図５】
2010267306.tif 000007
【図６】
2010267306.tif 000008
【図７】
2010267306.tif 000009
【図８】
2010267306.tif 000010
【図９】
2010267306.tif 000011
【図１０】
2010267306.tif 000012
【図１１】
2010267306.tif 000013
【図１２】
2010267306.tif 000014
【図１３】
2010267306.tif 000015
【図１４】
2010267306.tif 000016
【図１５】
2010267306.tif 000017
【図１６】
2010267306.tif 000018
【図１７】
2010267306.tif 000019
【図１８】
2010267306.tif 000020